(57)【要約】本発明の防犯および安全機能を有する建築物は、室内空間を区画する内側パネルと、前記内側パネルの外周面と所定間隔離隔可能に内側パネルを取り囲む外側パネルと、前記内側パネルと外側パネルとの間に設けられる断熱材と、前記内側パネルと外側パネルとの間に流体の流れを誘発させ、外部との熱伝達を遮断する空気流動通路とが形成されたハウス本体と、ハウス本体の一側に室内空間への出入りのための室内出入りドアと、室内出入りドアの前面側がハウス本体に設けられる外部出入りドアとを備える。前記建築物は、使用者の許諾なしに建築物の屋上に子供や外部人が出入りすることを防止することによって安全事故を防止するとともに、防犯機能を高めることが出来る。
2018502236.tif 000002
【特許請求の範囲】
【請求項１】
室内空間を区画する内側パネルと、前記内側パネルの外周面と所定間隔離隔可能に内側パネルを取り囲む外側パネルと、前記内側パネルと外側パネルとの間に設けられる断熱材と、前記内側パネルと外側パネルとの間に流体の流れを誘発させ、外部との熱伝達を遮断する空気流動通路とが形成されたハウス本体と、ハウス本体の一側に室内空間への出入りのための室内出入りドアと、室内出入りドアの前面側がハウス本体に設けられる外部出入りドアとを備えたことを特徴とする、防犯および安全機能を有する建築物。
【請求項２】
前記室内出入りドアと外部出入りドアとの間の側壁には、屋上に上がることができるように所定の間隔で設けられた足掛部を含む梯子が設けられ、
前記外部出入りドアには、外部出入りドアが内側に開かれて、側壁に密着する時、前記足掛部がドアの外側に露出可能に複数のガイド溝が形成されたことを特徴とする、請求項１に記載の防犯および安全機能を有する建築物。
【請求項３】
前記梯子は、複数の足掛部が外部出入りドアに形成されたガイド溝の位置と同一に配置され、梯子の足掛部がガイド溝の大きさより幅と直径が小さく形成されたことを特徴とする、請求項２に記載の防犯および安全機能を有する建築物。
【発明の詳細な説明】
【技術分野】
【０００１】
本発明は、防犯および安全機能を有する建築物に関し、より詳細には、自然景観が秀麗な地域や休養地または工事現場などに設置して用いることができ、断熱性と防犯機能が向上し、折畳式外部出入りドアと屋上に上がる梯子の設置による空間の活用性を高めることができる、防犯および安全機能を有する建築物に関する。
【背景技術】
【０００２】
一般的に、建築物の一つである組立式建築物または工場組立型建築物は、パネルや軽量の建築資材を用いて簡便に移動しながら用いるもので、田園住宅、キャンピング用住宅、バンガローおよび移動式住宅など使用目的に応じて多様な形態と構造で開発されて提供されている。このような建築物は、自然景観が秀麗な地域や休養地および工事現場といった場所に簡便に設置して用いることができる。前記建築物は、使用上の便宜性を提供するために冷暖房施設が設けられている。
【０００３】
大韓民国特許公開第２０１０−００６１８９９号には、環境にやさしい簡易移動式住宅が掲示されている。掲示された移動式住宅は、床体が外側から内側に向かって鉄筋が含浸されている無毒性防水モルタル層、スタイロフォーム、無毒性防水コンクリート層、および網で前後面を取り囲んでなる黄土層の順となって構成されており、住宅本体の壁体は、難燃剤が前後にそれぞれ塗布されたスタイロフォームを基準として内側には鉄網が含浸されている無毒性防水モルタル層、網で前後を取り囲んでなる黄土層、および黄土と混合されたペイント層、韓紙層、銀ナノ水の順となって構成される。
【０００４】
大韓民国特許登録第１３８３８８９号には、独立型太陽光発電システムが適用されたコンテナハウスが掲示されている。
【０００５】
組立式建築物の屋上の活用性を高めるためには、屋上に上がる別の手段の設置が必須である。屋上に上がるための段としては一般的な梯子が用いられるが、この梯子が室内に設けられる場合、空間の活用性が相対的に劣る問題があり、梯子が外部に設けられる場合、無断侵入および子供が上がりやすくなるので安全事故の危険性が内在している。
【０００６】
特に、従来の組立式建築物は、断熱および冷暖房効率が相対的に良くないが、これを改善するために、本発明者は、季節によって管理費用を節減し、耐久性を高められるだけでなく、設置場所に応じて多様な用途で簡便に用いられるマルチ機能を有する簡易住宅を、大韓民国登録特許第１０−１４２１４７１号として登録を受けた。本発明は、簡易住宅の屋上に上がる梯子をドアと連携して研究開発し、出願するに至った。
【発明の概要】
【発明が解決しようとする課題】
【０００７】
本発明の解決しようとする技術的課題は、出入口の内部側から屋上に上がる梯子の設置に際して設置空間を最小化させることができ、外部人が屋上に無断で上がることを防止することで防犯機能を高めることができる、防犯および安全機能を有する建築物を提供することである。
【０００８】
本発明の解決しようとする他の技術的課題は、ハウス本体の断熱特性を向上させることができ、外部出入りドアが開かれた場合、室内空間の確保が可能であり、梯子の使用を不可能にすることで子供の使用による安全事故を防止することができ、梯子と外部出入りドアとが結合されることで外観美を向上させることができる、防犯および安全機能を有する建築物を提供することである。
【課題を解決するための手段】
【０００９】
技術的課題を解決するための、本発明の防犯および安全機能を有する建築物は、
室内空間を区画する内側パネルと、前記内側パネルの外周面と所定間隔離隔可能に内側パネルを取り囲む外側パネルと、前記内側パネルと外側パネルとの間に設けられる断熱材と、前記内側パネルと外側パネルとの間に流体の流れを誘発させる、室内空間と外部との熱伝達を遮断する空気流動通路とが形成されたハウス本体と、ハウス本体の一側に設けられ、室内空間への出入りのための室内出入りドアと、室内出入りドアの前面側がハウス本体に設けられる外部出入りドアとを備えたことを特徴とする。
【００１０】
本発明において、室内出入りドアと外部出入りドアとの間の側壁には、屋上に上がることができるように互いに所定の間隔で設けられた足掛部を含む梯子が設けられ、前記外部出入りドアには、外部出入りドアが内側に開かれて、側壁に密着する時、前記足掛部が外部出入りドアの外側に露出可能に複数のガイド溝が形成される。
【００１１】
前記外部出入りドアは、両側に分割されて折畳式で構成され、分割された両側に上下一定の間隔で複数のガイド溝が形成される。
【００１２】
前記梯子をなす足掛部は、ガイド溝から突出し、ガイド溝の幅より小さい直径に形成される。
【発明の効果】
【００１３】
本発明の防犯および安全機能を有する建築物は、室内空間を取り囲む内側パネルと外側パネルとの間に、外側パネルの加熱による空気の流動を活性化させる空気流動通路が形成されているため、内部空気を循環させたり、内部空気を外部に排出することができ、内部空間に外部の熱気または冷気が直接的に伝達されることを防止することができる。そして、建築物の出入口に折畳式外部出入りドアが設けられ、その内部に建築物の屋上に上がるための梯子が設けられることによって、子供が保護者のいない状態で建築物の屋上に上がることを防止してこれによる安全事故を予め防止し、外部人が使用者の許諾なしに建築物の屋上に出入りすることを防止するので防犯機能を高める効果がある。
【００１４】
更に、外部出入りドアが折畳まれて開かれることによって、梯子の足掛部がガイド溝に嵌合して梯子の設置空間と外部出入りドアの折畳まれる空間を共有することとなり、ひいては室内空間を確保することができる。また、梯子が室内に設けられるため、建築物の外観が美麗なだけでなく、室内空間が美麗に施工される効果があり、室内出入りドアと外部出入りドアとの間の空間に屋上の出入りのための梯子が設けられることで室内の熱損失を低減することができる。
【図面の簡単な説明】
【００１５】
【図１】本発明に係る防犯および安全機能を有する建築物の斜視図である。
【図２】本発明に係る防犯および安全機能を有する建築物の外部出入りドアと梯子とが設けられた状態を示す一部切除斜視図である。
【図３】ハウス本体の一部切除断面図である。
【図４】外部出入りドアが梯子と結合された状態を示す一部切除斜視図である。
【図５】外部出入りドアと梯子とが結合される状態を示す断面図である。
【発明を実施するための形態】
【００１６】
本発明に係る防犯および安全機能を有する建築物は、外気と内気の断熱効果を高めることができ、梯子の設置空間を低減し、防犯効果を極大化させることができるもので、その一実施例を図１〜図５に示す。
【００１７】
図面を参照すれば、本発明に係る防犯および安全機能を有する建築物１０は、室内空間を区画する内側パネル２１と、前記内側パネル２１の外周面と所定間隔離隔可能に内側パネルを取り囲む外側パネル２２と、前記内側パネル２１と外側パネル２２との間に設けられる断熱材２３と、前記内側パネル２１と外側パネル２２に冷気または温気の供給および内側パネル２１の間に流体の流れを誘発させ、室内空間と外部との熱伝達を遮断する空気流動通路２４とが形成された壁体２９からなるハウス本体２０を備える。そして、前記ハウス本体２０の一側には、室内空間への出入りのための室内出入りドア３０が設けられ、室内出入りドア３０の前面側のハウス本体２０には外部出入りドア４０が設けられる。前記室内出入りドア３０と外部出入りドア４０との間は、外部出入りドア４０を閉じる場合、外部と遮断されて室内空間が延びる。前記外部出入りドア４０は、２つの単位ドア４１、４２が折畳まれる折畳式ドアとされ、外部出入りドア４０には、後述する梯子の足掛部５１が結合されるガイド溝４３が形成される。前記室内出入りドア３０と外部出入りドア４０との間の側壁２６には、屋上に上がることができるように所定の間隔で設けられた足掛部５１を備えた梯子５０が設けられ、この梯子５０に対応する天井部には、屋上に上がるための天井ドア５５が設けられる。
【００１８】
以下、上述のように構成された本発明に係る防犯および安全機能を有する建築物を構成要素別により詳細に説明する。
【００１９】
本発明に係る防犯および安全機能を有する建築物１０のハウス本体２０は、壁体２９が内側パネル２１と外側パネル２２とからなり、これらの間には断熱材２３が設けられるが、前記外側パネル２２または内側パネル２１は、金属板からなるとよい。前記断熱材２３は、ＥＰＤＭからなるが、前記断熱材すなわち、保温材はこれに限定されず、多様な材質からなってもよい。そして、前記内側パネル２１と外側パネル２２との間には空気流動通路２４が設けられるが、前記空気流動通路２４は、ハウス本体２０の壁体２９すなわち、側壁部、天井部、底部に設けられることが好ましい。しかし、これに限定されず、空気流動通路２４は、区画された状態で形成されてもよい。
【００２０】
前記外側パネル２２と内側パネル２１との間に形成される空気流動通路２４は、図３に示されているように、室内空間の空気を供給して循環または流動させるためのブロワとエアホース２４ａによって連結される。しかし、これに限定されず、前記エアホースを通る冷気または温気は、室内空間を冷暖房または暖房するためのヒートポンプ、空調システム、焼却炉またはキャンピング装備などから発生する廃熱などが利用されてもよい。
【００２１】
前記ブロワを通して空気流動通路２４に空気を循環させる過程は、夏季のように外部温度が高い場合、室内空間から外部に排気される内部空気を空気流動通路２４に循環させて壁体２９の空間を冷却させる。したがって、外部から内部に伝達される熱気を遮断することができる。また、冬季のように外部温度が低い場合、外部に排気される内部空気を空気流動通路２４に循環させて壁体２９の空間を加熱するため、外部から内部に伝達される冷気を遮断して暖房効率を高めることができる。
【００２２】
そして、断熱および熱伝導効率を高めるために、内側パネル２１の内側面には熱反射シートが貼り付けられてもよい。前記断熱材は、外側パネル２２の内側面に貼り付けて結露現象を防止することが好ましい。
【００２３】
一方、図１および図２に示されているように、ハウス本体２０の屋上の周縁には、墜落事故を防止するための欄干台５６が設けられ、建築物の出入口または窓がある両側の上部にひさし６０が設けられる。そして、図示していないものの、室内空間の冷房および暖房のために冷暖房機器が設けられる。
【００２４】
前記梯子５０は、前記室内出入りドア３０と外部出入りドア４０との間の側壁２６に設けられる足掛部５１を備えるが、前記足掛部５１は、壁体２９から突出する支持部５１ａと、該支持部５１ａを連結する水平部５１ｂとを備える構成を有する。ここで、前記足掛部５１は、パイプがベンディングされてなり、外部出入りドア４０に形成されたガイド溝４３との結合時、デザイン的な面を勘案して多様な色を有することができる。前記ガイド溝４３は、外部出入りドア４０の開かれた状態で足掛部５１が結合できるように、足掛部に対応する位置に設けられる。
【００２５】
前記外部出入りドア４０に貫通するように形成された前記ガイド溝４３と足掛部５１の形状は、外部出入りドア４０の構造および形状に応じて多様な形状にデザインされる。例えば、波形またはＶ字状などからなってもよい。
【００２６】
前記外部出入りドア４０が、２つの単位ドア４１、４２が折畳み可能な折畳式ドアの場合、上部または下部側には、円滑なドアの開閉のためにガイドレールまたはケータが設けられる。
【００２７】
一方、前記梯子に対応する天井部に設けられた天井ドア５５は、使用者が屋上に上がるために天井部に形成された上部ホール５５ａを開閉する構造を有し、使用者が梯子５０を用いて上がって上部ホール５５ａの天井ドア５５を通じて屋上に上がることができる構造を有する。
【００２８】
上述のように構成された本発明に係る防犯および安全機能を有する建築物１０は、上述のように壁体に空気流動通路２４が形成されることで断熱効果を極大化させることができる。また、外部出入りドア４０の内側に使用者がハウス本体２０の屋上に上がるための梯子５０が設けられているため、ハウス本体２０の外部から子供が保護者のいない状態で屋上に上がることを防止するだけでなく、外部人が使用者の許諾なしに建築物に無断出入りすることを防止し、安全事故を予防し、防犯機能を高めることができる。
【００２９】
さらに、防犯および安全機能を有する建築物は、図４および図５に示されているように、外部出入りドア４０が開かれる時に梯子５０と足掛部５１とガイド溝４３とが結合されることによって、梯子５０の設置による損失空間を低減することができる。すなわち、使用者が外部出入りドア４０を一方に折畳んで開ける場合、外部出入りドア４０が梯子５０側に密着しながらガイド溝４３に梯子５０の各足掛部５１が嵌合して外部出入りドア４０が完全に折畳まれながら開かれるようになる。
【００３０】
したがって、梯子５０の設置空間と外部出入りドア４０の折畳まれる室内空間を共有することとなるので室内空間を確保することができ、外部出入りドア４０と梯子とが結合されることで外部出入りドア４０の外観美を向上させることができる。また、外部出入りドア４０の内側に室内出入りドア３０が設けられ、外部出入りドア４０との間で使用者が建築物の屋上に上がる梯子が設けられることで防犯機能に優れている。
【００３１】
本発明は、図面に示された実施例を参照して説明されたが、これは例示的なものに過ぎず、本技術分野における通常の知識を有する者であれば、これから多様な変形および均等な他の実施例が可能である点を理解するであろう。
【００３２】
したがって、本発明の真の技術的保護範囲は、添付の登録請求の範囲の技術的思想によって定められなければならない。
【図１】
2018502236.tif 000003
【図２】
2018502236.tif 000004
【図３】
2018502236.tif 000005
【図４】
2018502236.tif 000006
【図５】
2018502236.tif 000007
【国際調査報告】
2018502236.tif 000008
2018502236.tif 000009
2018502236.tif 000010
2018502236.tif 000011